(57)【要約】【課題】デジタル／アナログ音声信号の復調互換可能な受信装置を提供すること。【解決手段】受信装置３００は、受信部４０１によって、アナログ音声変調波信号とデジタル音声変調波信号とデジタル文字／画像変調波信号を含む電波を受信する。アナログ音声変調波信号は、アナログ復調部４０３によって復調される。デジタル音声変調波信号は、デジタル復調部４０４によって復調される。判定部４０５は、電波が受信されることによって得られる無線周波数信号に基づいて、電波の受信レベルが所定レベル以上か否かを判定する。選択部４０６は、判定部４０５の判定結果から、音声復調信号を生成するいずれか一方の復調部を選択する。音声出力部４２１は、選択された復調部からの音声復調信号によって音声出力する。また、判定部４０５の判定結果にかかわらず、デジタル文字／画像変調波信号を復調して、文字または静止画像を表示する。【選択図】        図４
2005197814.tif 000002
【特許請求の範囲】
【請求項１】
少なくとも、アナログ音声変調波信号およびデジタル音声変調波信号を含む電波を受信する受信手段と、
前記受信手段によって受信されたアナログ音声変調波信号を復調するアナログ復調手段と、
前記受信手段によって受信されたデジタル音声変調波信号を復調するデジタル復調手段と、
前記受信手段により前記電波が受信されることによって得られる無線周波数信号に基づいて、前記電波の受信レベルが所定レベル以上か否かを判定する判定手段と、
前記判定手段によって判定された判定結果に基づいて、前記アナログ復調手段または前記デジタル復調手段のいずれか一方の復調手段を選択する選択手段と、
前記選択手段によって選択された復調手段から得られる音声復調信号に基づいて、音声を出力する音声出力手段と、
を備えることを特徴とする受信装置。
【請求項２】
前記受信手段は、前記無線周波数信号から中間周波数信号を生成する中間周波数信号生成手段を備え、
前記判定手段は、前記中間周波数信号生成手段によって生成された中間周波数信号の信号レベルに基づいて、前記電波の受信レベルが所定レベル以上か否かを判定することを特徴とする請求項１に記載の受信装置。
【請求項３】
前記受信手段は、
前記無線周波数信号を増幅する増幅手段と、
前記増幅手段によって増幅された無線周波数信号の利得を制御する利得制御手段と、
前記利得制御手段によって前記無線周波数信号の利得が所定の利得以上であるか否かを検出する利得検出手段と、を備え、
前記判定手段は、前記利得検出手段によって検出された検出結果に基づいて、前記電波の受信レベルが所定レベル以上か否かを判定することを特徴とする請求項１または２に記載の受信装置。
【請求項４】
前記判定手段は、さらに、前記デジタル復調手段が前記デジタル音声変調波信号を復調した場合に得られるＢＥＲ（Ｂｉｔ  Ｅｒｒｏｒ  Ｒａｔｅ）が、所定レート以上か否かを判定することを特徴とする請求項１〜３のいずれか一つに記載の受信装置。
【請求項５】
前記アナログ復調手段は、前記判定手段によって判定された判定結果に基づいて、前記アナログ音声変調波信号の復調を停止することを特徴とする請求項１〜４のいずれか一つに記載の受信装置。
【請求項６】
文字または画像を表示する表示手段を備え、
前記受信手段は、少なくとも、アナログ音声変調波信号、デジタル音声変調波信号およびデジタル文字／画像変調波信号を含む電波を受信し、
前記デジタル復調手段は、前記受信手段によって受信されたデジタル音声変調波信号およびデジタル文字／画像変調波信号を復調し、
前記表示手段は、前記判定手段によって判定された判定結果にかかわらず、前記デジタル復調手段から得られる文字／画像復調信号に基づいて、前記文字または画像を表示することを特徴とする請求項１〜５のいずれか一つに記載の受信装置。
【発明の詳細な説明】
【技術分野】
【０００１】
この発明は、アナログ音声変調波信号とデジタル音声変調波信号とを含む電波を受信する受信装置に関する。ただし、この発明の利用は、上述の受信装置には限られない。
【背景技術】
【０００２】
近年、衛星によるデジタルラジオ放送とともに、地上波によるラジオ放送のデジタル化が進められ、この地上波デジタル放送に対応したラジオ受信機が普及しつつある。このラジオ受信機では、放送局から送信される既存のアナログ電波にデジタル信号が追加されており、アナログ電波およびデジタル信号の双方によって、同じ内容の放送を受信することができる。
【０００３】
このラジオ受信機のＲＦ部を図１に示す。図１に示すように、上述したラジオ受信機のＲＦ部１００は、通常のアナログ方式のみのラジオ受信機と同様、アンテナ１０１と、アンテナ１０１から入力されたＲＦ信号を減衰するアッテネータ１０２と、アッテネータ１０２によって減衰されたＲＦ信号を帯域制限するバンドパスフィルタ１０３と、バンドパスフィルタ１０３から出力されたＲＦ信号を増幅するアンプ１０４と、アンプ１０４によって増幅されたＲＦ信号を帯域制限するバンドパスフィルタ１０５と、電圧制御発振器１０６と、バンドパスフィルタ１０５から出力されたＲＦ信号と電圧制御発振器１０６の発振信号とを混合してＩＦ信号を生成するミキサ１０７と、バンドパスフィルタ１０５またはミキサ１０７からの出力によってアッテネータ１０２の減衰量を制御するとともに、アンプ１０４の利得制御をおこなうＡＧＣ回路１０８と、を備えている。
【０００４】
このＲＦ部１００に用いられているアッテネータ１０２は、ＩＭ（ｉｎｔｅｒ−ｍｏｄｕｒａｔｉｏｎ）妨害が発生するアンテナ入力レベルと、放送局からの最大アンテナ入力レベルとのレベル差を減衰する。このアッテネータ１０２には、ｐｉｎ−ｄｉｏｄｅなどを用いて順方向電流を流したときの直流抵抗値を利用したインピーダンス分割比によって減衰量を得ているアッテネータや、ＲＦアンプに利得調整用の専用ゲートを持ったデュアルゲート型のＦＥＴを使用したアッテネータが多く利用されている。
【０００５】
また、このようなラジオ受信機としては、たとえば、ＤＡＢ移動体受信機において、ＯＦＤＭの各キャリアの電力比が過大となって生じる制御不適正に因る歪みを抑制するＯＦＤＭ受信機が開示されている。このＯＦＤＭ受信機は、復調部においてＯＦＤＭ変調波の中心周波数、すなわちＦＦＴの中心ポイントの電力を計算する。この計算値に係る信号が時定数回路を経てＩＦ段用ＡＧＣ Ａｍｐ等へ制御信号として送られる。ＩＦ段用ＡＧＣ Ａｍｐ等は、時定数回路からの所定値以上の制御信号に対しては、二段目ミキサからの出力を増幅し、これをＩＦ段ＡＧＣブロックへ出力し、結果、アッテネータの出力は抑えられる（たとえば、下記特許文献１を参照。）。
【特許文献１】特開平１１−４６１５１号公報
【発明の開示】
【発明が解決しようとする課題】
【０００６】
しかしながら、上述した従来技術では、デジタル信号の復調時に得られるＢＥＲ（Ｂｉｔ  Ｅｒｒｏｒ  Ｒａｔｅ）によって、アナログ信号とデジタル信号の復調を切り換えている。したがって、アナログ変調波を受信することにより入力されたＲＦ信号の電界強度が、ＩＭ妨害が発生するほど高い場合、すなわち、ＲＦ信号が過入力された場合、ＢＥＲが高いとデジタル変調波による復調からアナログ変調波の復調に切り換わってしまうこととなる。したがって、受信品質が悪くなり、音質が低下するという問題が一例として挙げられる。
【０００７】
一方、上述した従来技術のように、ＲＦ信号の過入力を抑制するアッテネータが設けた場合、部品点数が多くなり、ラジオ受信機の小型化および軽量化が図れないという問題が一例として挙げられる。また、これにより、ラジオ受信機が高価になるという問題が一例として挙げられる。
【課題を解決するための手段】
【０００８】
上述した課題を解決し、目的を達成するため、請求項１の発明にかかる受信装置は、少なくとも、アナログ音声変調波信号およびデジタル音声変調波信号を含む電波を受信する受信手段と、前記受信手段によって受信されたアナログ音声変調波信号を復調するアナログ復調手段と、前記受信手段によって受信されたデジタル音声変調波信号を復調するデジタル復調手段と、前記受信手段により前記電波が受信されることによって得られる無線周波数信号に基づいて、前記電波の受信レベルが所定レベル以上か否かを判定する判定手段と、前記判定手段によって判定された判定結果に基づいて、前記アナログ復調手段または前記デジタル復調手段のいずれか一方の復調手段を選択する選択手段と、前記選択手段によって選択された復調手段から得られる音声復調信号に基づいて、音声を出力する音声出力手段と、を備えることを特徴とする。
【発明を実施するための最良の形態】
【０００９】
（実施の形態）
以下に添付図面を参照して、この発明にかかる受信装置の好適な実施の形態を詳細に説明する。まず、この発明の実施の形態にかかる受信装置が受信する電波の周波数特性について説明する。図２は、この発明の実施の形態にかかる受信装置が受信する電波の周波数特性図である。この特性図の縦軸は信号レベル、横軸は周波数をあらわしている。この電波は、アナログ音声変調波信号ｆａとデジタル変調波信号ｆｄを含んでおり、任意の放送局から送信される。アナログ音声変調波信号ｆａは、たとえば、ＦＭ波やＡＭ波などの音声信号である。また、デジタル変調波信号ｆｄには、たとえば、アナログ音声変調波信号ｆａと同一の音声データであるデジタル音声変調波信号のほか、放送局の局名、周波数、放送番組名、曲名、時刻、天気、ニュースまたは広告などの文字データまたは静止画像データであるデジタル文字／画像変調波信号が含まれている。
【００１０】
つぎに、この発明の実施の形態にかかる受信装置の概観を示す。図３は、この発明の実施の形態にかかる受信装置の概観を示す正面図である。図３に示すように、受信装置３００は、たとえば、液晶ディスプレイ３０１などの表示器を備えている。この液晶ディスプレイ３０１には、上述したデジタル文字／画像変調波信号を復調することによって、放送局の局名、周波数、放送番組名、曲名、時刻、天気、ニュースまたは広告などの文字または静止画像を表示することができる。
【００１１】
つぎに、この発明の実施の形態にかかる受信装置の機能的構成について説明する。図４は、この発明の実施の形態にかかる受信装置３００の機能的構成を示すブロック図である。この受信装置３００は、受信部４０１と、中間周波数信号振分け部４０２と、アナログ復調部４０３と、デジタル復調部４０４と、判定部４０５と、選択部４０６と、出力部４０７と、から構成されている。
【００１２】
受信部４０１は、アナログ音声変調波信号とデジタル音声変調波信号とデジタル文字／画像変調波信号を含む電波を受信して、中間周波数信号を生成する。具体的には、この受信部４０１は、電波受信部４１１と、増幅部４１２と、中間周波数信号生成部４１３と、利得制御部４１４と、利得検出部４１５と、を備えている。電波受信部４１１は、アナログ変調波信号とデジタル変調波信号とデジタル文字／画像変調波信号を含む電波を受信する。増幅部４１２は、電波受信部４１１が電波を受信することによって得られる無線周波数信号を増幅する。
【００１３】
中間周波数信号生成部４１３は、増幅部４１２によって増幅された無線周波数信号から中間周波数信号を生成する。利得制御部４１４は、電波受信部４１１、増幅部４１２または中間周波数信号生成部４１３から取り出される出力に基づいて、増幅部４１２によって増幅された無線周波数信号の利得を制御する。また、利得検出部４１５は、利得制御部４１４によって無線周波数信号の利得が所定の利得以上であるか否かを検出する。所定利得以上であると検出された場合、受信部４０１は、無線周波数信号の過入力状態となる。一方、所定利得未満であると検出された場合、受信部４０１は、無線周波数信号の安定した入力状態となる。
【００１４】
中間周波数信号振分け部４０２は、中間周波数信号生成部４１３から出力される中間周波数信号に含まれているアナログ変調波信号とデジタル変調波信号（図１を参照）とを分割し、アナログ変調波信号をアナログ復調部４０３に出力し、デジタル変調波信号をデジタル復調部４０４に出力する。アナログ復調部４０３は、中間周波数信号振分け部４０２によって振り分けられたアナログ音声変調波信号を復調する。また、デジタル復調部４０４は、中間周波数信号振分け部４０２によって振り分けられたデジタル音声変調波信号およびデジタル文字／画像変調波信号を復調する。
【００１５】
判定部４０５は、受信部４０１が電波を受信することによって得られる無線周波数信号に基づいて、受信された電波の受信レベルが所定レベル以上か否かを判定する。この判定部４０５の判定処理の一例としては、たとえば、受信部４０１内の中間周波数信号生成部４１３によって生成された中間周波数信号を用い、中間周波数信号の信号レベルが所定の信号レベルか否かを判定することができる。この中間周波数信号の信号レベルが所定の信号レベル以上であると判定された場合、希望波をしたと判定することができる。
【００１６】
また、判定部４０５の判定処理の一例としては、たとえば、利得検出部４１５によって検出された利得レベルを用い、この利得レベルが所定のレベル以上か否かを判定することができる。この利得レベルが所定のレベル以上であると判定された場合、受信レベル、すなわち、入力された無線周波数信号が過入力であると判定することができる。したがって、この中間周波数信号の信号レベルおよび利得検出部４１５の利得レベルを用いることによって、受信された電波の受信感度の良否を判定することができる。
【００１７】
さらに、判定部４０５の判定処理の一例としては、たとえば、デジタル復調部４０４によって復調されたときのＢＥＲ（Ｂｉｔ  Ｅｒｒｏｒ  Ｒａｔｅ）を用い、ＢＥＲが、所定レート以上か否かを判定することもできる。これにより、デジタル復調部４０４の復号によって出力されるデジタル音声の品質の良否を判定することができる。
【００１８】
また、選択部４０６は、判定部４０５によって判定された判定結果に基づいて、アナログ復調部４０３またはデジタル復調部４０４のいずれか一方の復調部を選択する。これにより、音声出力の対象となる音声復号信号を生成する復号部を決定することができる。また、出力部４０７は、音声出力部４２１と表示部４２２を備える。音声出力部４２１は、選択部４０６によって選択された復調部（４０３または４０４）から得られた音声復調信号に基づいて、音声を出力する。表示部４２２は、デジタル文字／画像変調波信号がデジタル復調部４０４に復調されることによって得られる文字／画像復調信号によって、画面上に文字または画像を表示する。
【００１９】
このように、この実施の形態にかかる受信装置３００では、受信した電波の受信レベルを、中間周波数信号の信号レベルや、利得検出部４１５によって検出された利得レベルを用いて判定することにより、受信感度の良否を判定することができる。したがって、中間周波数信号の信号レベルが所定の信号レベル以上である場合、または、利得レベルが所定のレベル以上である場合、選択部４０６は、デジタル復調部４０４を選択する。したがって、デジタル復調部４０４の復調によって得られたデジタル音声復調信号を用いて音声を出力することができ、ユーザは、高感度のデジタル音声を聴取することができる。
【００２０】
一方、中間周波数信号の信号レベルが所定の信号レベル未満である場合、および利得レベルが所定のレベル未満である場合、選択部４０６は、アナログ復調部４０３を復調する。したがって、デジタル音声が高感度出力できない場合、アナログ復調部４０３の復調によって得られたアナログ音声復調信号を用いて音声を出力する。これにより、アナログ音声を出力するときは、常に、無線周波数信号が過入力となっていないため、アッテネータを用いて無線周波数信号を減衰させる必要がなく、アッテネータは不要である。これにより、部品点数を減少させることができ、受信装置３００の小型化および軽量化を図ることができる。さらに、ＢＥＲを用いることにより、出力音声の品質の良否によって、出力音声を切り換えることができ、ユーザは、高感度かつ高品質のデジタル音声を聴取することができる。
【実施例１】
【００２１】
つぎに、上述した実施の形態にかかる受信装置３００の一例を示す実施例１について説明する。図５は、この実施の形態にかかる受信装置３００の一例を示す実施例１のハードウェア構成を示すブロック図である。図５に示すように、この実施例１の受信装置３００は、アナログ音声変調波信号とデジタル音声変調波信号とデジタル文字／画像変調波信号を含む電波を受信するアンテナ５０１と、アンテナ５０１から得られる無線周波数信号を帯域制限する第１のバンドパスフィルタ５０２とを備えている。このアンテナ５０１および第１のバンドパスフィルタ５０２は、図４に示す電波受信部４１１を構成する。
【００２２】
アンプ５０３は、第１のバンドパスフィルタ５０２から出力される無線周波数信号を増幅する。このアンプ５０３は、図４に示した増幅部４１２を構成する。また、第２のバンドパスフィルタ５０４は、アンプ５０３によって増幅された無線周波数信号を帯域制限してミキサ５０６に出力する。電圧制御発振器（ＶＣＯ）５０５は、所定周波数の発振信号をミキサ５０６に出力する。ミキサ５０６は、第２のバンドパスフィルタ５０４から出力される無線周波数信号と、電圧制御発振器５０５から出力される発振信号とを混合し、中間周波数信号を生成する。第３のバンドパスフィルタ５０７は、ミキサ５０６から出力された中間周波数信号を、受信希望波の周波数帯域に制限する。この第２のバンドパスフィルタ５０４、電圧制御発振器５０５、ミキサ５０６および第３のバンドパスフィルタ５０７は、図４に示した中間周波数信号生成部４１３を構成する。
【００２３】
ＡＧＣ（Ａｕｔｏ  Ｇａｉｎ  Ｃｏｎｔｒｏｌ）回路５０８は、ミキサ５０６、第１のバンドパスフィルタ５０２または第２のバンドパスフィルタ５０４から得られる電界強度によって、アンプ５０３の利得制御をおこなう。このＡＧＣ回路５０８は、図４に示した利得制御部４１４を構成する。また、ＡＧＣ回路５０８には、ＡＧＣ検出回路５０９が設けられている。ＡＧＣ検出回路５０９は、ミキサ５０６、第１のバンドパスフィルタ５０２または第２のバンドパスフィルタ５０４から得られる電界強度が、所定レベル以上であるか否かを検出するためのしきい値電圧が、それぞれ設定されている。そして、しきい値電圧以上となった電界強度をＡＧＣ電圧として検出する。これにより、受信された電波に妨害波の混信による無線周波数信号の過入力を検出することができる。このＡＧＣ検出回路５０９は、図４に示した利得検出部４１５を構成する。
【００２４】
Ａ／Ｄ変換器５１０は、第３のバンドパスフィルタ５０７から出力される中間周波数信号をデジタル信号に変換する。デジタルフィルタ５１１は、デジタル変換された中間周波数信号を周波数分解し、アナログ変調波信号をアナログ音声デコーダ５１２に出力し、デジタル変調波信号をデジタル音声デコーダ５１３および文字／画像デコーダ５１４に出力することによって、中間周波数信号を振り分ける。このＡ／Ｄ変換器５１０およびデジタルフィルタ５１１は、図４に示した中間周波数信号振分け部４０２を構成する。
【００２５】
アナログ音声デコーダ５１２は、デジタルフィルタ５１１によって振り分けられたアナログ変調波信号を入力し、アナログ変調波信号を、アナログ音声復調信号に復調する。このアナログ音声デコーダ５１２は、図４に示したアナログ復調部４０３を構成する。
【００２６】
デジタル音声デコーダ５１３は、デジタルフィルタ５１１によって振り分けられたデジタル変調波信号に含まれているデジタル音声変調波信号を入力する。そして、入力されたデジタル音声変調波信号をデジタル音声復調信号に復調する。また、文字／画像デコーダ５１４は、デジタルフィルタ５１１によって振り分けられたデジタル変調波信号に含まれているデジタル文字／画像変調波信号を入力する。そして、入力されたデジタル文字／画像変調波信号を文字／画像復調信号に復調する。このデジタル音声デコーダ５１３および文字／画像デコーダ５１４は、図４に示したデジタル復調部４０４を構成する。
【００２７】
判定回路５１５は、第１のコンパレータ５１６〜第３のコンパレータ５１８と、Ｄ／Ａ変換器５１９によって構成されている。第１のコンパレータ５１６は、あらかじめ所定のしきい値電圧が設定されており、そのしきい値電圧と第３のバンドパスフィルタ５０７から出力された中間周波数信号の信号レベルとを比較する。このしきい値電圧は、中間周波数信号の受信感度が、デジタル音声出力が適切におこなうことができる受信感度に対応する値である。
【００２８】
そして、中間周波数信号の信号レベルがこのしきい値電圧未満であると判定された場合、中間周波数信号の受信感度が、所定感度未満であることとなり、この第１のコンパレータ５１６は、選択回路５２０にローレベル信号を出力する。一方、中間周波数信号の信号レベルがこのしきい値電圧以上であると判定された場合、中間周波数信号は所定感度以上であることとなり、第１のコンパレータ５１６は、選択回路５２０にハイレベル信号を出力する。
【００２９】
第２のコンパレータ５１７は、ＡＧＣ検出回路５０９からＡＧＣ電圧が検出されたか否かを判定する。具体的には、ＡＧＣ検出回路５０９からＡＧＣ電圧が入力された場合、選択回路５２０にハイレベル信号を出力し、ＡＧＣ検出回路５０９からＡＧＣ電圧が入力されない場合、選択回路５２０にローレベル信号を出力する。
【００３０】
また、Ｄ／Ａ変換器５１９は、デジタル音声デコーダ５１３のデコード処理の際に検出されるＢＥＲ（Ｂｉｔ  Ｅｒｒｏｒ  Ｒａｔｅ）をアナログ変換し、第３のコンパレータ５１８に入力する。この第３のコンパレータ５１８には、デジタル音声デコーダ５１３から検出されたＢＥＲが許容レベルの値であるか否かを判定するためのしきい値が設定されている。
【００３１】
そして、デジタル音声デコーダ５１３から検出されたＢＥＲがこのしきい値電圧以上であると判定された場合、ＢＥＲが許容レベル以上、すなわち、デジタル音声の音質が許容レベルの音質に比べて低いこととなり、この第３のコンパレータ５１８は、選択回路５２０にローレベル信号を出力する。一方、ＢＥＲがこのしきい値電圧未満であると判定された場合、ＢＥＲが許容レベル未満、すなわち、デジタル音声の音質が許容レベルの音質に比べて高いこととなり、この第３のコンパレータ５１８は、選択回路５２０にハイレベル信号を出力する。この判定回路５１５は、図４に示した判定部４０５を構成する。
【００３２】
選択回路５２０は、判定回路５１５の第１のコンパレータ５１６〜第３のコンパレータ５１８から出力される出力信号（ハイレベル信号およびローレベル信号）に基づいて、デジタル音声変調波信号を復調するデジタル音声デコーダ５１３と、アナログ変調波信号を復調するアナログ音声デコーダ５１２のうちいずれか一方のデコーダを選択する。具体的には、選択回路５２０は、第１のコンパレータ５１６〜第３のコンパレータ５１８のうちいずれかのコンパレータからハイレベル信号が入力された場合、デジタル音声デコーダ５１３とＤ／Ａ変換器５２１とを接続する。一方、第１のコンパレータ５１６〜第３のコンパレータ５１８すべてからローレベル信号が入力された場合、アナログ音声デコーダ５１２とＤ／Ａ変換器５２１とを接続する。この選択回路５２０は、図４に示した選択部４０６を構成する。
【００３３】
Ｄ／Ａ変換器５２１は、選択回路５２０を介してアナログ音声デコーダ５１２またはデジタル音声デコーダ５１３に接続され、入力されたアナログ音声復調信号またはデジタル音声復調信号をＤ／Ａ変換する。スピーカ５２２は、Ｄ／Ａ変換器５２１から出力されるアナログ音声復調信号またはデジタル音声復調信号を音声出力する。このＤ／Ａ変換器５２１およびスピーカ５２２は、図４に示した音声出力部４２１を構成する。
【００３４】
また、出力Ｉ／Ｆ（インターフェース）５２３は、文字／画像デコーダ５１４に接続される。出力Ｉ／Ｆ５２３は、具体的には、たとえば、表示器５２４全体の制御をおこなうグラフィックコントローラと、即時表示可能な画像情報を一時的に記憶するＶＲＡＭ（Ｖｉｄｅｏ  ＲＡＭ）などのバッファメモリと、グラフィックコントローラから出力される画像データに基づいて、表示器５２４を表示制御する制御ＩＣなどによって構成される。表示器５２４は、出力Ｉ／Ｆ５２３に接続され、文字／画像データを表示する。表示器５２４は、具体的には、たとえば、図３に示しした液晶ディスプレイ３０１やＬＥＤなどによって構成される。この出力Ｉ／Ｆ５２３と表示器５２４は、図４に示した表示部４２２を構成する。
【００３５】
つぎに、この実施例１の受信装置３００における処理手順について説明する。図６は、この実施例１の受信装置３００の処理手順を示すフローチャートである。まず、アナログ変調波信号とデジタル変調波信号とデジタル文字／画像変調波信号を含む電波を受信する（ステップＳ６０１）。そして、ミキサ５０６から中間周波数信号を生成するとともに（ステップＳ６０２）、ＡＧＣ検出回路５０９においてＡＧＣ電圧の検出をおこなう（ステップＳ６０３）。
【００３６】
この後、アナログ音声デコーダ５１２およびデジタル音声デコーダ５１３によって復調をおこなう（ステップＳ６０４）。そして、第１のコンパレータ５１６の出力がローレベルの場合（ステップＳ６０５：Ｌ）、第２のコンパレータ５１７による判定処理をおこなう（ステップＳ６０６）。第２のコンパレータ５１７の出力がローレベルの場合（ステップＳ６０６：Ｌ）、第３のコンパレータ５１８による判定処理をおこなう（ステップＳ６０７）。第３のコンパレータ５１８の出力がローレベルの場合（ステップＳ６０７：Ｌ）、選択回路５２０によってアナログ音声デコーダ５１２を選択する（ステップＳ６０８）。
【００３７】
一方、第１のコンパレータ５１６〜第３のコンパレータ５１８の出力がハイレベルの場合（ステップＳ６０５：Ｈ、ステップＳ６０６：Ｈ、ステップＳ６０７：Ｈ）、選択回路５２０によってデジタル音声デコーダ５１３を選択する（ステップＳ６０９）。そして、選択された音声デコーダから得られた音声復調信号によって音声出力する（ステップＳ６１０）。
【００３８】
この実施例１によれば、第１のコンパレータ５１６によって、変調波の受信感度を判定することができる。また、第２のコンパレータ５１７によって、アナログ変調波に妨害波が含まれていることにより無線周波数信号が過入力になったか否かを判定することができる。さらに、第３のコンパレータ５１８によって、デジタル音声データのクオリティ判定をおこなうことができる。したがって、この実施例１によれば、簡単な構成により、デジタル音声データの出力を高感度かつ高品質でおこなうことができる。
【００３９】
また、無線周波数信号が過入力の場合は、デジタル音声デコーダ５１３を選択する。すなわち、アナログ音声デコーダ５１２が選択された場合、無線周波数信号が過入力となっていないため、受信部４０１にアッテネータを別途設けなくても、アナログ音声を適切に出力することができる。これにより、アナログ変調波信号とデジタル変調波信号を含む電波を受信する通常の受信装置３００に比べて、部品点数を減少することができ、受信装置３００の小型化および軽量化を図ることができる。また、部品点数の減少により、安価な受信装置３００を提供することができる。
【実施例２】
【００４０】
つぎに、上述した実施の形態にかかる受信装置３００の実施例２について説明する。図７は、この実施の形態にかかる受信装置３００の実施例２のハードウェア構成を示すブロック図である。この実施例２の受信装置３００は、アナログ音声デコーダ５１２による復調処理を、実行または停止する例である。なお、上述した実施例１と同一の構成については、同一番号を付し、その説明を省略する。
【００４１】
この実施例２の受信装置３００におけるアナログ音声デコーダ５１２の前段には、内部スイッチ７０１が備えられている。この内部スイッチ７０１は、判定回路７０２からの出力によってＯＮまたはＯＦＦに切り換わり、アナログ音声デコーダ５１２の復調処理を実行または停止する。これにより、アナログ音声デコーダ５１２は、内部スイッチ７０１がＯＮの場合に、デジタルフィルタ５１１によって振り分けられたアナログ音声変調波信号を入力し、アナログ音声復調信号に復調する。また、内部スイッチ７０１は、判定回路７０２に設けられている第１のコンパレータ７０３〜第３のコンパレータ７０５に接続されている。このアナログ音声デコーダ５１２および内部スイッチ７０１は、図４に示したアナログ復調部４０３を構成する。
【００４２】
判定回路７０２は、第１のコンパレータ７０３〜第３のコンパレータ７０５と、Ｄ／Ａ変換器７０６によって構成されている。第１のコンパレータ７０３は、あらかじめ所定のしきい値電圧が設定されており、そのしきい値電圧と第３のバンドパスフィルタ５０７から出力された中間周波数信号の信号レベルとを比較する。このしきい値電圧は、デジタル音声出力を適切におこなうことができる受信感度に対応する値である。
【００４３】
そして、中間周波数信号の信号レベルがこのしきい値電圧未満であると判定された場合、中間周波数信号の受信感度が、所定感度未満であることとなり、この第１のコンパレータ７０３は、選択回路５２０にローレベル信号を出力する。一方、中間周波数信号の信号レベルがこのしきい値電圧以上であると判定された場合、中間周波数信号は所定感度以上であることとなり、第１のコンパレータ７０３は、選択回路５２０にハイレベル信号を出力する。
【００４４】
第２のコンパレータ７０４は、ＡＧＣ検出回路５０９からＡＧＣ電圧が検出されたか否かを判定する。具体的には、ＡＧＣ検出回路５０９からＡＧＣ電圧が入力された場合、選択回路５２０にハイレベル信号を出力し、ＡＧＣ検出回路５０９からＡＧＣ電圧が入力されない場合、選択回路５２０にローレベル信号を出力する。
【００４５】
また、Ｄ／Ａ変換器７０６は、デジタル音声デコーダ５１３のデコード処理の際に検出されるＢＥＲ（Ｂｉｔ  Ｅｒｒｏｒ  Ｒａｔｅ）をアナログ変換し、第３のコンパレータ７０５に入力する。この第３のコンパレータ７０５には、デジタル音声デコーダ５１３から検出されたＢＥＲが許容レベルの値であるか否かを判定するためのしきい値が設定されている。
【００４６】
そして、デジタル音声デコーダ５１３から検出されたＢＥＲがこのしきい値電圧以上であると判定された場合、ＢＥＲが許容レベル以上、すなわち、デジタル音声の音質が許容レベルの音質に比べて低いこととなり、この第３のコンパレータ７０５は、選択回路５２０にローレベル信号を出力する。一方、ＢＥＲがこのしきい値電圧未満であると判定された場合、ＢＥＲが許容レベル未満、すなわち、デジタル音声の音質が許容レベルの音質に比べて高いこととなり、この第３のコンパレータ７０５は、選択回路５２０にハイレベル信号を出力する。この判定回路７０２は、図４に示した判定部４０５を構成する。
【００４７】
つぎに、この実施例２の受信装置３００における処理手順について説明する。図８は、この実施例２の受信装置３００の処理手順を示すフローチャートである。まず、アナログ変調波信号とデジタル変調波信号とデジタル文字／画像変調波信号を含む電波を受信する（ステップＳ８０１）。そして、ミキサ５０６から中間周波数信号を生成するとともに（ステップＳ８０２）、ＡＧＣ検出回路５０９においてＡＧＣ電圧の検出をおこなう（ステップＳ８０３）。
【００４８】
この後、デジタル音声デコーダ５１３によって復調をおこなう（ステップＳ８０４）。そして、第１のコンパレータ７０３の出力がローレベルの場合（ステップＳ８０５：Ｌ）、第２のコンパレータ７０４による判定処理をおこなう（ステップＳ８０６）。また、第２のコンパレータ７０４の出力がローレベルの場合（ステップＳ８０６：Ｌ）、第３のコンパレータ７０５による判定処理をおこなう（ステップＳ８０７）。さらに、第３のコンパレータ７０５の出力がローレベルの場合（ステップＳ８０７：Ｌ）、選択回路５２０によってアナログ音声デコーダ５１２を選択する（ステップＳ８０８）。
【００４９】
この後、内部スイッチ７０１のＯＮ／ＯＦＦを判定する（ステップＳ８０９）。内部スイッチ７０１がＯＦＦの場合（ステップＳ８０９：Ｙｅｓ）、ＯＮに切り換える（ステップＳ８１０）。そして、ステップＳ８１０またはステップＳ８０９：Ｎｏによって、内部スイッチ７０１がＯＮになることにより、アナログ音声デコーダ５１２によって復調をおこなう（ステップＳ８１１）。
【００５０】
一方、第１のコンパレータ７０３〜第３のコンパレータ７０５の出力がハイレベルの場合（ステップＳ８０５：Ｈ、ステップＳ８０６：Ｈ、ステップＳ８０７：Ｈ）、選択回路５２０によってデジタル音声デコーダ５１３を選択する（ステップＳ８１２）。そして、内部スイッチ７０１のＯＮ／ＯＦＦを判定する（ステップＳ８１３）。内部スイッチ７０１がＯＮの場合（ステップＳ８１３：Ｙｅｓ）、ＯＦＦに切り換える（ステップＳ８１４）。そして、ステップＳ８１４またはステップＳ８１３：Ｎｏによって、内部スイッチ７０１がＯＦＦになることにより、選択された音声デコーダから得られた復調信号によって音声出力する（ステップＳ８１５）。
【００５１】
この実施例２によれば、実施例１と同様、簡単な構成により、デジタル音声データの出力を高感度かつ高品質でおこなうことができる。また、受信部４０１にアッテネータを別途設けなくても、アナログ音声を適切に出力することができる。これにより、上述した実施例１と同様、部品点数を減少することができ、受信装置３００の小型化および軽量化を図ることができる。また、部品点数の減少により、安価な受信装置３００を提供することができる。
【００５２】
さらに、アナログ音声デコーダ５１２の前段に内部スイッチ７０１を設け、判定回路７０２の判定結果によって内部スイッチ７０１のＯＮ／ＯＦＦを制御することとしたため、デジタル音声変調波信号を復調する場合には、アナログ音声デコーダ５１２の復調処理を停止することができ、省電力化を図ることができる。これにより、たとえば、携帯型の受信装置では、バッテリーによる駆動時間を長くすることができる。
【００５３】
また、上述したいずれの実施例１および２において、アナログ変調波信号とデジタル変調波信号に含まれている音声情報が同一内容である場合、電波状況に応じて高感度な復調信号によって音声出力することができるため、電波状況が変化しても、ノイズなどの影響が少ない高品質の音声を聴取することができる。さらに、デジタル変調波信号に、デジタル音声変調波信号と文字／画像変調波信号が含まれている場合、判定回路５１５、７０２の判定結果にかかわらず、常に文字／画像変調波信号を復調して、表示器５２４にその内容を表示することができる。したがって、電波状況が変化したためにアナログ音声デコーダ５１２が選択された場合であっても、アナログ音声復調信号によってアナログ音声を出力しながら、アナログ音声に適した文字／画像を表示器５２４に表示することができる。
【００５４】
以上、説明したように、この実施の形態にかかる受信装置３００によれば、簡単な構成により、高感度かつ高品位な音声出力をおこなうことができる。またアッテネータが不要なため、部品点数の減少による小型化および軽量化を図ることができ、またこれにより、安価な受信装置３００を提供することができる。また、この実施の形態にかかる受信装置３００は、たとえば、デジタル／アナログ信号復調互換機であるＨＤ（Ｈｉｇｈ  Ｄｅｆｉｎｉｔｉｏｎ）ラジオ受信機に有用であり、特に、携帯型ラジオ受信機や車載オーディオにも適用することができる。
【図面の簡単な説明】
【００５５】
【図１】従来のラジオ受信機のＲＦ部のハードウェア構成を示すブロック図である。
【図２】この発明の実施の形態にかかる受信装置が受信する電波の周波数特性図である。
【図３】この発明の実施の形態にかかる受信装置の概観を示す正面図である。
【図４】この発明の実施の形態にかかる受信装置の機能的構成を示すブロック図である。
【図５】この実施の形態にかかる受信装置の一例を示す実施例１のハードウェア構成を示すブロック図である。
【図６】この実施の形態にかかる受信装置の一例を示す実施例１における処理手順を示すフローチャートである。
【図７】この実施の形態にかかる受信装置の実施例２のハードウェア構成を示すブロック図である。
【図８】この実施の形態にかかる受信装置の一例を示す実施例２における処理手順を示すフローチャートである。
【符号の説明】
【００５６】
３００  受信装置
４０１  受信部
４０３  アナログ復調部
４０４  デジタル復調部
４０５  判定部
４０６  選択部
４０７  出力部
４１２  増幅部
４１３  中間周波数信号生成部
４１４  利得制御部
４１５  利得検出部
４２１  音声出力部
４２２  表示部
【図１】
2005197814.tif 000003
【図２】
2005197814.tif 000004
【図３】
2005197814.tif 000005
【図４】
2005197814.tif 000006
【図５】
2005197814.tif 000007
【図６】
2005197814.tif 000008
【図７】
2005197814.tif 000009
【図８】
2005197814.tif 000010